(57)【要約】【課題】ドア等の被取付ボードに対する取り付けが確実に行え、且つこの取付時において雄部材や雌部材の折損が起こらないようにした。【解決手段】一方のプレート５に設けられる雄部材８と、他方のプレート６に設けられる雌部材７とを相互接近方向へ押し込むだけで互いに係合でき、この係合状態から雌部材７を回動させるだけで上記係合を解除して離反できる構造を採用する。この場合、雄部材８は雌部材７へ向けて二股状態で突出する一対の脚部１２及び外爪部１３を有したものとし、雌部材７は雄部材８の両脚部１２を相互接近方向へ絞り変形させる絞り枠４０及び各外爪部１３に係合可能な係合部４３を有したものとする。【選択図】図１
2005076409.tif 000002
【特許請求の範囲】
【請求項１】
被取付ボード（２）を挟んで対称配置で一対のプレート（５，６）を取り付けるための組プレートの取付装置において、一方のプレート（５）に設けられる雄部材（８）と他方のプレート（６）に上記雄部材（８）に対向して設けられる雌部材（７）とを有しており、上記雄部材（８）は雌部材（７）へ向けて二股状態で突出する一対の脚部（１２）を有し、これら両脚部（１２）の各突端部には互いに相反する外側へ向けて張り出す一対の外爪部（１３）が設けられており、前記雌部材（７）は雄部材（８）へ向けてその両脚部（１２）を両外側から取り囲み可能な状態に突出して且つこれら両脚部（１２）を弾性に抗しつつ相互接近方向へ絞り変形させる絞り枠（４０）を有し、この絞り枠（４０）の枠内には雄部材（８）の各外爪部（１３）にそれぞれ係合可能とされた少なくとも一対の係合部（４３）とこの係合部（４３）に対する周方向の隣接位置で雄部材（８）の各外爪部（１３）と係合しない非係合部（４４）とが設けられており、これらにより雄部材（８）と雌部材（７）とは、相互接近方向へ押し込むことで離反不可能状態に係合し且つこの係合状態からいずれか一方の部材を回動させれば上記係合を解除して離反可能になっていることを特徴とする組プレートの取付装置。
【請求項２】
前記雄部材（８）又は雌部材（７）の少なくとも一方が、対応するプレート（５，６）に対して着脱自在になっていることを特徴とする請求項１記載の組プレートの取付装置。
【請求項３】
前記雄部材（８）の外爪部（１３）又は雌部材（７）の係合部（４３）の少なくとも一方が、軸方向に複数設けられており、両部材（７，８）相互の係合量を調節可能になっていることを特徴とする請求項１又は請求項２記載の組プレートの取付装置。
【請求項４】
前記雄部材（８）又は雌部材（７）の少なくとも一方が相手側部材へ向けて進退自在に保持されていると共に、この部材は相手側部材に対して被取付ボード（２）を介して係合し得る位置を含んでそこから遠ざかる方向へ向けて弾性力により付勢されていることを特徴とする請求項１乃至請求項３のいずれかに記載の組プレートの取付装置。
【請求項５】
前記プレート（５，６）には雄部材（８）や雌部材（７）が設けられるのとは反対側とされて露出される部分に化粧カバー（５０）が取付可能とされていることを特徴とする請求項１乃至請求項４のいずれかに記載の組プレートの取付装置。
【請求項６】
前記プレート（５，６）が、ドアハンドル（３）の取付座であることを特徴とする請求項１乃至請求項５のいずれかに記載の組プレートの取付装置。
【発明の詳細な説明】
【技術分野】
【０００１】
本発明は、組プレートの取付装置に関するものである。
【背景技術】
【０００２】
ドアに設けられるドアハンドルには、その根本まわりのドア面を覆うように取付座を付設する。この取付座は、ドアの表裏両側に対称配置で２枚１組で取り付ける（以下、取付座を「プレート」と言い、ドアを「被取付ボード」と言う）。このプレートは、ドアハンドルを含めた錠装置の取付用とされたり、もっぱら化粧効果目的で使用されたりする。
このような２枚１組のプレートを有した組プレートにおいて、被取付ボードを介した両側で両プレートを結合するには、一方のプレートに軸を突出させ他方のプレートに筒を突出させて軸と筒とを圧入止め（摩擦止め）させる構造が知られている（例えば、特許文献１及び特許文献２等参照）。
【０００３】
しかしながら、被取付ボードには様々な肉厚のものがあるので、組プレートとしては、軸や筒の長さが異なる複数種のセットを準備しておかなければならず、このことが製造から販売にわたる取り扱いを煩雑にして高コスト化に繋がっていた。のみならず、被取付ボードの肉厚寸法には製造誤差や使用環境下（温度や湿度等）の影響でバラツキがあり、プレート相互の結合状態としてこれに対処させるのが困難になっていた。
そこで本出願人は、上記種々の問題を解決するものとして、一方のプレートに設けられる雄部材と他方のプレートに上記雄部材に対向して設けられる雌部材とを有しており、上記雄部材と雌部材とが、相互接近方向へ押し込むことで離反不可能状態に係合しいずれか一方の部材を回動させることで上記係合を解除して離反可能になった組みプレート装置を開発し、特許出願した（特許文献３参照）。
【０００４】
この先願に係る組みプレート装置において、雄部材は、雌部材へ向けて突出する本体軸部と、この本体軸部の突端部からその軸心に直交する向きで相反方向へ張り出す一対の外爪部とを有してヤジリ形を呈したものとされ、これに対して雌部材は、雄部材へ向けて二股に分かれて突出する一対の脚部と、これら両脚部の突端部で雄部材の各外爪部に抱き込み状に係合する方向で相対向して張り出す一対の内爪部とを有したものとされていた。
【特許文献１】特開平９−２５０２５８号公報
【特許文献２】特開平７−３１０４６５号公報
【特許文献３】特開２００２−２２７４６５号公報
【発明の開示】
【発明が解決しようとする課題】
【０００５】
被取付ボードには、雄部材と雌部材とを両側から対向状に差し込むための貫通孔が設けられているが、この貫通孔の内径は、雌部材における両脚部の背面同士間の外法寸法（最大幅寸法）に比べて、十分な余裕を有しない寸法となっていることがある。このような場合、この貫通孔内へ差し込んだ雄部材の本体軸部と雌部材の両脚部とを結合させようとすると、雄部材の本体軸部が雌部材の両脚部の股間を押し広げるときに雌部材の両脚部の背面（外面）が貫通孔の内周壁に当接してしまい、十分な押し広げができないということがあった。
【０００６】
そのため、雌部材の両脚部に設けられた内爪部が、雄部材の本体軸部に設けられた外爪部を抱き込む状態までに至らず、結果として、これら内爪部と外爪部とを係合させることができないことになっていた。
この場合、雄部材の本体軸部において外爪部のくびれを大きくし、その分、本体軸部を細く形成させるといった対策や、雌部材の両脚部において股間を幅広くして、その分、両脚部をそれぞれ細く形成させるといった対策を採らざるを得なくなるが、いずれも、雄部材の本体軸部や雌部材の両脚部を細くさせることを伴うため、それらの折損に繋がるおそれがあった。
【０００７】
本発明は、上記事情に鑑みてなされたものであって、被取付ボードに対する取り付けが確実に行え且つこの取付時において雄部材や雌部材の折損が起こらないようにした組プレートの取付装置を提供することを目的とする。
【課題を解決するための手段】
【０００８】
前記目的を達成するために、本発明は次の手段を講じた。
即ち、本発明に係る組プレートの取付装置１は、被取付ボード２を挟んで対称配置で一対のプレート５，６を取り付けるためのものであって、一方のプレート６に設けられる雄部材８と、他方のプレート５に上記雄部材８に対向して設けられる雌部材７とを有している。
このうち雄部材８は、雌部材７へ向けて二股状態で突出する一対の脚部１２を有したものとする。そして、これら両脚部１２の各突端部には、互いに相反する外側へ向けて張り出す一対の外爪部１３が設けられているものとする。
【０００９】
これに対して雌部材７は、雄部材８へ向けてその両脚部１２を両外側から取り囲み可能な状態に突出して、なお且つこれら両脚部１２を弾性に抗しつつ相互接近方向へ絞り変形させる絞り枠４０を有したものとする。そして、この絞り枠４０の枠内には、雄部材８の各外爪部１３にそれぞれ係合可能とされた一対の係合部４３と、この係合部４３に対する周方向の隣接位置で雄部材８の各外爪部１３と係合しない非係合部４４とが設けられているものとする。
このような構成とすることで、雄部材８と雌部材７とは、相互接近方向へ押し込むことで離反不可能状態に係合したり、或いは、この係合状態からいずれか一方の部材を回動させたときに上記の係合を解除して離反可能にしたりできるものである。
【００１０】
そのため、雄部材８を有したプレート６と、雌部材７を有したプレート５とを対向接近させ、雄部材８と雌部材７とを互いに突き合わせるようにするだけでこれら両部材８，７を係合できるので、互いの結合がいとも簡単に行える。更に言えば、雄部材８と雌部材７とを結合させる部分に貫通孔５３を有する被取付ボード２に対し、その表裏両側からプレート５，６を被取付ボード２に対して押しつけるようにするだけで、両プレート５，６の取り付けができることになる。また、被取付ボード２からプレート５，６を外す必要（両プレート５，６の結合を解除する必要）が生じた場合には、雄部材８又は雌部材７の少なくとも一方を、例えば９０°程度回動させれば、これら雄部材８と雌部材７との結合状態は解除されるので、被取付ボード２からのプレート５，６の取り外しも極めて簡単である。
【００１１】
このような構造はきわめて簡潔且つ低コストで実施できる。
また雄部材８と雌部材７との係合時には、雄部材８の両脚部１２が相互接近する方向へ絞り変形が加えられるのであり、これは結局、雄部材８が細くなることを意味している。従って、雌部材７はその係合時に太くなるわけでは無いので、この雌部材７の外周面が被取付ボード２に設けられた貫通孔５３の内周壁に当接してしまうと言うことはない。結果、雄部材８と雌部材７との係合（プレート５，６の結合、即ち、被取付ボードへの取り付け）は確実に行える。
【００１２】
雄部材８又は雌部材７の少なくとも一方を、それらに対応するプレート５，６に対して着脱自在な構造とすることができる。このようにすると、雄部材８に関しては脚部１２の長さが異なるものを数種類準備しておくことができ、これらの中から被取付ボード２の肉厚寸法に最適なものを選出するといった対応が可能になる。また雌部材７に関しては、絞り枠４０の長さの異なるものを数種類準備しておくことができ、これらの中から被取付ボード２の肉厚寸法に最適なものを選出するといった対応が可能になる。
雄部材８の外爪部１３又は雌部材７の係合部４３の少なくとも一方を、軸方向に複数設けられたものとしておくと、両部材相互の係合量を調節可能になる。
【００１３】
これらの構成を付加することで、被取付ボード２の肉厚寸法に対してある程度の汎用性を持たせることができる。
雄部材８又は雌部材７の少なくとも一方が相手側部材へ向けて進退自在に保持されていると共に、この進退する方の部材は、相手側部材に対して被取付ボード２を介して係合し得る位置を含んでそこから遠ざかる方向へ向けて弾性力により付勢されているものとするのが好ましい。この弾性力付与手段として、バネ３１や樹脂材を用いることが出来る。
このようにすると、被取付ボード２が肉厚方向において膨張や収縮を起こすようなことがあっても、両プレート５，６の結合間隔もこれに柔軟に追従することになる。そのため、被取付ボード２が収縮を起こしたときに両プレート５，６間の取付状態にガタが発生したり、反対に被取付ボード２が膨張を起こしたときに両プレート５，６に応力が集中してクラックが発生したりするといったことを防止できることになる。また、被取付ボード２の肉厚寸法に対してある程度の許容幅を持たせることができる。
【００１４】
プレート５，６には雄部材８や雌部材７が設けられるのとは反対側とされて露出される部分に、化粧カバー５０を取り付けできるようにするのが好適である。これによって見栄えをよくできる。
言うまでもなく、プレート５，６は、ドアハンドル３の取付座として採用することができる。この場合、引き戸装置にも適用できる。
【発明の効果】
【００１５】
本発明に係る組プレートの取付装置では、被取付ボードに対する取り付けが確実に行え、しかもこの取付時において雄部材や雌部材に折損が起こるのを防止できることになる。
【発明を実施するための最良の形態】
【００１６】
以下、本発明の実施の形態を、図面に基づき説明する。
図１乃至図１７は、本発明に係る組プレート取付装置１の第１実施形態を示している。図１に示すように、本第１実施形態の組プレート取付装置１は、揺動開閉するドア等の被取付ボード２に対して、その開閉用のドアハンドル３を取り付けるための取付座として設けられたものを示している。
この組プレート取付装置１は、被取付ボード２を挟んで対称配置で取り付けられる一対のプレート５，６に対し、その一方のプレート５に設けられる雌部材７と、他方のプレート６に設けられる雄部材８とを有している。
【００１７】
図４乃至図７に示すように、雄部材８はプレート６とは別体で形成され、プレート６に対して組み付けられる構造である。この雄部材８は、円柱形をした本体部１１を有していると共に、この本体部１１の先で雌部材７へ向けて二股状態で突出する一対の脚部１２を有している。そして、これら両方の脚部１２の各突端部には外爪部１３が設けられている。
一対の脚部１２は互いに平行しており、その両者間には脚長方向に沿った中間切欠１４が形成されている。従ってこれら両脚部１２は、この中間切欠１４を狭める方向へ向けて弾性に抗しながら可撓性を有すると共に、この状態から元の平行状態へ戻る弾性復元性を有しており、相互近接、離反自在となっている。
【００１８】
両外爪部１３は、上記した中間切欠１４を挟んで互いに背を向けて相反する外側へ張り出すようになったもので、それぞれの張り出し側の先端（幅方向外側）と、脚部１２の突端との双方へ向けて、先細り状に形成されている。また、脚部１２の突端側から脚部１２の長手方向に沿って本体部１１側を見るとき、外爪部１３の奥側（裏側）となる部分ではクビレ形状を伴った係合段部１５が形成されていることになる。脚部１２の側面形状（図４に相当）は一定太さ（ストレート）に形成され、この太さに合わせて外爪部１３も同じ爪幅を有するように形成されている。
【００１９】
本体部１１は上記したように円柱形であり断面形状が円形であるため、プレート６に設けられる後述の装着孔２８（小径孔部２８ｂ）に対して挿通したときに回動自在な状態を維持することになる。この本体部１１において、両脚部１２寄りには止め輪３０（図２及び図３参照）を嵌め付けるための嵌着溝１６が設けられている。この嵌着溝１６に対して、止め輪３０は、本体部１１（即ち、雄部材８）がプレート６の装着孔２８へ挿通された後に嵌め付けられるようになり、これによって本体部１１が装着孔２８から抜けず、雄部材８をプレート６に対して分離不能に組み付けることになる。
【００２０】
本体部１１の後端部には、この本体部１１よりも一回り径大な円盤形をした回動操作部１７が設けられている。図７に示すように、この回動操作部１７の後端面には、マイナスドライバー等の工具を係止させることのできる工具係合凹部１８が設けられている。なお、この工具係合凹部１８は、十文字状の凹部としたり六角形や四角形の凹部としたり、或いは六角形や四角形の凸部としたりして、それらに適合する工具を特定するようにしてもよいが、図示したような溝型であれば、指の爪やコインなどを用いて雄部材８を回動させることができるようになり、好適な例であるといえる。
【００２１】
この雄部材８が組み付けられるプレート６は、図８乃至図１２に示すように、長方形の平板状をしたものであって、ドアハンドル３のハンドル基部２３やハンドル軸２４等（図１参照）を通すための逃げ孔２５が表裏貫通して設けられており、裏面６ｂにおける長手方向一端寄りには、被取付ボード２の嵌合孔２６へ嵌め付ける嵌合突起２７が設けられている。そして、このプレート６に対し、長手方向における嵌合突起２７とは反対寄りとなる位置付けで、雄部材８を取り付けるための装着孔２８が設けられている。
この装着孔２８は径大部と径小部とを有してプレート６の表裏面を貫通する段付き孔であって、このうちの径大孔は、プレート６の表面６ａ側で雄部材８の回動操作部１７を回動自在に収容可能としつつこの回動操作部１７を軸方向移動自在に保持する大径孔部２８ａとされ、他方の径小孔は、プレート６の裏面６ｂ側で雄部材８の本体部１１を回動自在で且つ軸移動自在に保持する小径孔部２８ｂとされている。
【００２２】
雄部材８がこの装着孔２８へ挿通されるとき、雄部材８の本体部１１にはコイルバネ等のバネ３１（図２及び図３参照）が外挿される。そこで装着孔２８の大径孔部２８ａは、このバネ３１をも収容して、このバネ３１が軸方向に伸縮し得るだけの深さ寸法を含んでいる。
このようなことから、雄部材８は、プレート６に対しその裏面６ｂから他方のプレート５（即ち、雌部材７が設けられる方のプレート）へ向けて脚部１２（外爪部１３側）を突出させるように組み付けられる。プレート６の装着孔２８に雄部材８がバネ３１と共に挿通され、この雄部材８が止め輪３０によって抜け止めされた状態とされると、雄部材８は雌部材７へ向けて進退自在でありながら、且つ雄部材８が雌部材７と係合されていない状態下では、バネ３１によって雌部材７から遠ざかる方向へ向けてバネ付勢されていることになる。このとき回動操作部１７は、プレート６の表面６ａ側で装着孔２８の大径孔部２８ａから少し飛び出た状態とされる（図３参照）。
【００２３】
なお、装着孔２８における小径孔部２８ｂの開口周部には、プレート６の裏面６ｂから突出する周リブ３３が設けられており、雄部材８がバネ３１によって雌部材７から遠ざかる方向へバネ付勢されるとき、止め輪３０がこの周リブ３３に当て止めされるようになっている。この周リブ３３には、周方向の一箇所に装着孔２８の孔軸方向に貫通した切欠３４が設けられており、これに対応するかたちで雄部材８の本体部１１（図４及び図５参照）には、止め輪３０を嵌着する嵌着溝１６に対して回動操作部１７側となる開口縁に、上記切欠３４に係合可能な回り止め突起３５が設けられている。
【００２４】
切欠３４に回り止め突起３５が係合したとき、両脚部１２における各突端部の外爪部１３は平面視した状態（図２及び図３参照）で左右両側を向くように関係付けられている。そのため、雄部材８がバネ３１によって雌部材７から遠ざかる方向へ向けてバネ付勢されているとき、両脚部１２はそれぞれの外爪部１３を左右両側へ向ける状態を維持するようになっている。この状態は、プレート６の表面６ａ側から雄部材８が装着孔２８の奥方へ押し込まれ、回り止め突起３５が切欠３４から追い出されるまで維持されるが、回り止め突起３５が切欠３４から追い出された状態（即ち、雄部材８が装着孔２８の奥方へ押し込まれたとき、雄部材８は、装着孔２８内で回動自在になる。
【００２５】
一方、図１３乃至図１７に示すように、雌部材７はプレート５に対してその裏面５ｂから、雄部材８が組み付けられたプレート６へ向けて突出する状態で一体的に設けられている。この雌部材７は絞り枠４０を有したものである。この絞り枠４０は例えば筒形を呈したものとなっている。
絞り枠４０の内部は、図１６から明らかなように対向する二つの内面が平行になる長孔状になっている。このうち長径αにあたる寸法は、雄部材８の両脚部１２をそれらの外爪部１３をも含めて挿通可能な内法となっている。これに対して短径βにあたる寸法（二つの対向内面間）では、両脚部１２をそれらの間の中間切欠１４が狭まる方向へ相互近接させるように弾性変形させないと、挿通できない内法となっている。
【００２６】
そして、この短径βとされた二つの対向内面には、それぞれ、雄部材８の各外爪部１３に係合可能とされた少なくとも二つの係合部４３が設けられている。これら係合部４３は、外爪部１３と係合可能なものであれば突起物であっても又は凹部や孔であってもよいが、本実施形態では、外爪部１３が係合段部１５を有し且つ脚部１２の太さと同じ爪幅を有しているものであることから（図４及び図５参照）、絞り枠４０の周壁を貫通する長孔として形成した。
すなわち、このような係合部４３において、上記したように長径αに該当する内法寸法の両側内面は、外爪部１３が係合することのない非係合部４４として形成されていることになる。本第１実施形態において、この非係合部４４は外爪部１３と当接しない円弧状壁面（即ち、筒壁の一部）として形成したものを示しているが、例えば切欠などの隙間として形成させることもできる。
【００２７】
なお、上記したように、雄部材８がプレート６に組み付けられる状態として、プレート６側の切欠３４と雄部材８側の回り止め突起３５との係合により、両脚部１２における各突端部の外爪部１３が左右両側を向くようになっているので、雌部材７がプレート５に設けられる状態としては、対となる係合部４３同士が、絞り枠４０の枠内において左右方向で対向するように関係付けられている。
また、被取付ボード２の肉厚が固定されている場合などであって、雄部材８と雌部材７とを係合させる距離が決まっているのであれば、この係合部４３は各外爪部１３に１対１対応でよいことになるが、雄部材８と雌部材７との係合距離が変化するおそれがある場合には、図例のように係合部４３を絞り枠４０の軸方向に沿って複数設ければよい。なお、係合部４３を複数設ける場合には、当然のことながら絞り枠４０の枠内深さとして、最も奥方に位置付けられる係合部４３に外爪部１３が係合し得るだけの寸法を必要とする。
【００２８】
この雌部材７が設けられるプレート５は長方形の平板状をしたものであって、ドアハンドル３のハンドル基部２３やハンドル軸２４等（図１参照）を通すための逃げ孔４５が表裏貫通して設けられており、裏面５ｂにおける長手方向一端寄りには、被取付ボード２の嵌合孔２６へ嵌め付ける嵌合突起４６が設けられている。これらのことは、上記した雄部材８側のプレート６と略同様である。このプレート５に対し、長手方向における嵌合突起４６とは反対寄りとなる位置付けで雌部材７が設けられている。
プレート５や６は、樹脂により形成するのが好適であるが、この場合、その成形時の位置決めや、材料消費量、軽量化など種々の目的から、表面５ａ，６ａや裏面５ｂ，６ｂに適宜凹み４７，４８等を設けることができる。そしてこのような凹み４７，４８をはじめ、パーティングライン、ランナー痕、樹脂流れ痕などの見栄え悪化原因、或いは低廉材料使用による低級感等を隠すうえで、化粧カバー５０（図２及び図３参照）を設けるようにすればよい。この化粧カバー５０は、板金製としてもよいし樹脂製としてもよい。
【００２９】
このような構成の組プレート取付装置１を取り付ける被取付ボード２は、雄部材８と雌部材７との結合部に対応する貫通孔５３、両プレート５，６の逃げ孔２５，４５に対応する連通孔５４（ドアハンドル３のハンドル基部２３やハンドル軸２４等を通す孔）、両プレート５，６の嵌合突起２７，４６を嵌め付け可能にする共通の嵌合孔２６が設けられたものとなっており、これら各孔と所定位置関係で適宜錠装置（図示略）が組み込まれたものとなっている。言うまでもなく、これら両プレート５，６が被取付ボード２を挟んで対称配置で取り付けられる状態下にあって、雄部材８と雌部材７とは、互いに対向し合う位置付けとされる。
【００３０】
このようなことから、被取付ボード２に対し、その一方面側から雄部材８を、また他方面側から雌部材７を所定の位置付けで押し付けるようにすると、雄部材８と雌部材７とはそれらの軸方向を一致させつつ相互接近し、雄部材８の各外爪部１３が雌部材７の係合部４３内へ嵌め込まれることになる。すると、各外爪部１３を有している脚部１２相互はそれらの間の中間切欠１４を狭めるように相互近接方向へ弾性変形し、雄部材８の各外爪部１３と、雌部材７における最適な位置付けの係合部４３とが合致したところで雄部材８の両脚部１２は弾性復帰作用によって相互離反し、元の平行状態か又はそれに近い状態に戻るようになる。
【００３１】
そのため、これによって両側の係合部４３に外爪部１３が係合する（図２参照）。そして、一旦、この係合状態となった後は、雄部材８と雌部材７とはそれらの軸方向に沿って離反させようとしても、離反不可能な状態に維持される。
雄部材８と雌部材７とが係合している状態から、雄部材８の回動操作部１７を工具等によって９０°回動させると、両外爪部１３は絞り枠４０内で上下両側を向くようになる。そのため、この絞り枠４０内で係合部４３と外爪部１３との係合状態は解除され、代わりに非係合部４４と外爪部１３とが合致することになる。結果として、これら雄部材８と雌部材７とはその軸方向において係合する部分が何もない状態となるので、相互に軸方向へ離反させようとすれば簡単に離反させることができる。
【００３２】
すなわち、本発明に係る組プレート取付装置１では、雄部材８を具備する方のプレート５と、雌部材７を具備する方のプレート６とを、被取付ボード２を中央に挟んだ状態で、相互接近方向へ押し込むようにするだけで、雄部材８と雌部材７との係合で互いを結合でき、これらを被取付ボード２に取り付けできる。また、被取付ボード２から各プレート５，６を取り外す必要が生じた場合には、雄部材８の回動操作部１７へマイナスドライバ等の工具やコイン等を差し込んで回動させるだけで、雄部材８と雌部材７との係合を解除し、被取付ボード２からプレート５，６を外すことができる。
【００３３】
なお、経年変化等で被取付ボード２に肉厚方向の膨張や収縮が起こったとしても、雄部材８がバネ３１のバネ力を受けて軸方向に付勢されていることから、これら雄部材８と雌部材７との係合状態に何ら無理な力やガタツキは生じないことになる。従って、被取付ボード２に対する各プレート５，６の取付状態にガタが発生したり、クラックが発生したりすることもなくなる。
図１８及び図１９は、雄部材８としての第２実施形態を示している。この第２実施形態の雄部材８は、各脚部１２の軸方向に対して外爪部１３が複数設けられている。そのため、雄部材８と雌部材７との係合量を調節可能になっている。この場合、雌部材７の絞り枠４０に設ける係合部４３は、外爪部１３に１対１対応とさせたうえで軸方向に長孔なものとして形成しておけばよい。
【００３４】
なお、雌部材７において絞り枠４０の係合部４３を軸方向に複数設けてもよいことは既に説明したが、雄部材８の外爪部１３及び雌部材７の係合部４３の双方を軸方向に複数設けるといった組み合わせにしてもよい。
図２０及び図２１は、雄部材８としての第３実施形態を示している。この第３実施形態の雄部材８は、各脚部１２が平面視した状態で波形を呈するように曲げられ、そのうえで両脚部１２が上下に位置ズレ配置され互いにＸ字状に交差されたものである。
図２２及び図２３は、雄部材８としての第４実施形態を示している。この第４実施形態の雄部材８は、各脚部１２が直線形とされながらも互いに上下に位置ズレ配置されたものである。両脚部１２が外爪部１３同士を相互近接させる方向へ弾性変形されたときに、両脚部１２が互いにＶ字状乃至Ｘ字状に交差するようになっている。なお、このＶ字状乃至Ｘ字状の弾性変形を起こしやすくするために、各脚部１２には本体部１１寄りとなる部分に、外向きの側面の一部を凹ませたくびれ部５２を形成させてある。
【００３５】
図２４は、本発明に係る組プレート取付装置１の第２実施形態を示している。この第２実施形態の組プレート取付装置１では、雌部材７がプレート５と別体で形成されたうえで、このプレート５にバネ３１と共に組み付けられ、反対に雄部材８がプレート６に一体的に設けられたものとなっている。従って、この第２実施形態の雌部材７は、円柱形をした本体部６０を有していると共に、この本体部６０の先に絞り枠４０が、また本体部６０の後端部に円盤形をした回動操作部６１が設けられている。またこの雌部材７は、プレート５に対し、雄部材８へ向けて進退自在であると共に回動自在である。
【００３６】
図２５乃至図３３は、本発明に係る組プレート取付装置１の第３実施形態を示している。この第３実施形態の組プレート取付装置１では、雌部材７がプレート５に対して着脱自在とされている（図示略）。そして、雌部材７として、予め、突出長さの異なる複数種のものが準備されている。従って、被取付ボード２の肉厚に応じて、各種長さの雌部材７の中から適当な長さのものを選出して、プレート５に取り付けるといった使い方ができる。
本第３実施形態では、雌部材７をプレート５に対して着脱自在とさせるために次のような構造例を採用した。すなわち、図２６乃至図２８に示すように、雌部材７の基部には挿通軸部７１が設けられ、この挿通軸部７１から外周方向に突出する係合部４３７２が設けられている。係合部４３７２は、挿通軸７１の径方向に対応して一対配置されている。これら一対の各係合部４３７２に、回り止め用の係合突部７３が径方向外方に突設されている。
【００３７】
これに対し、図２９乃至図３１に示すように、プレート５には、雌部材７の挿通軸部７１が挿入される挿通孔７５が設けられると共に、挿通孔７５の外周に、係合部４３７２が挿通可能な挿通溝７６と、係合部４３７２を係止する係止部７７とが、設けられている。挿通溝７６は挿通孔７５に連通するように挿通孔７５の径方向外方に一対配置されている。一対の挿通溝７６間に、係止部７７が一対配置され、プレート５の係止部７７の表面側に一対の係止溝７９が設けられ、各係止溝７９は挿通溝７６に連通されており、係合部４３７２が挿通溝７６から係止溝７９内に嵌合することにより、挿通軸部７１が挿通孔７５からプレート５の裏面側へ抜け脱不能になるように、係止部７７は係合部４３７２をプレート５の表面側に係止するようになっている。
【００３８】
従って、係合部４３７２を挿通溝７６に一致させて挿通軸部７１を挿通孔７５に挿通し、雌部材７を、挿通軸部７１廻りに９０度回動して、係合部４３７２を係止溝７９に嵌合することにより、係合部４３７２を係止部７７に係止させることができ、これにより、雌部材７が、対応するプレート５に、着脱自在に取り付けられるように構成されている。一対の各係止溝７９に、係合凸部７３に対応する係止凹部７８が径方向外方に没入形成されている。
雌部材７をプレート５に取り付けるには、図３２及び図３３に鎖線で示すように、雌部材７の係合部４３７２をプレート５の挿通溝７６に一致させて、雌部材７の挿通軸部７１をプレート５の裏面側から挿通孔７５に挿通し、その後、雌部材７を、挿通軸部７１廻りにａ方向に９０度回動することにより、係合部４３７２が、係止溝７９に嵌合して係止部７７にプレート５の表面側から係合し、このとき、各係合部４３７２の係合凸部７３が各係止溝７９の係止凹部７８に係合して、雌部材７をプレート５に対して回り止めし、これにより、雌部材７を、対応するプレート５に、簡単に確実に取り付けることができる。
【００３９】
また、雌部材７をプレート５から取り外すには、図３２及び図３３に実線で示す状態から、雌部材７を、挿通軸部７１廻りにｂ方向に９０度回動して、雌部材７の係合部４３７２を鎖線で示すようにプレート５の挿通溝７６に一致させて、雌部材７をプレート５の裏面側に引っ張って、雌部材７の挿通軸部７１を挿通孔７５からプレート５の裏面側に抜き取ればよく、雌部材７をプレート５から簡単に取り外すことができる。
本第３実施例において雌部材７をプレート５に対して着脱自在にする構造は、第１実施形態（図３等参照）の雌部材７とプレート５との一体構造に代えて実施できるものである。そこで、第２実施形態（図２４参照）で説明したように、雄部材８とプレート６とを一体構造にする場合に置換させる態様として、雄部材８をプレート６に対して着脱自在にする構造も当然に可能なものとなる。
【００４０】
ところで、本発明は、上記した各実施形態に限定されるものではなく、実施の形態に応じて適宜変更可能である。
例えば、雄部材８や雌部材７の材質は何ら限定されるものではなく、樹脂製や金属製等とすることができる。
また、第１実施形態（図３参照）では雌部材７をプレート５と一体形成し、第２実施形態（図２４参照）では雌部材８をプレート６と一体形成する旨説明したが、これらの場合、雌部材７とプレート５や雄部材８とプレート６をそれぞれ別部材として形成したうえで後付けするものであってもよい。
【００４１】
プレート５の上下両側へ雄部材８を、またプレート６の上下両側へ雌部材７を、それぞれ設けるようにしてもよい。
なお、被取付ボード２については、その構造や大きさ、材質、用途等に関して、何ら限定されるものではない。従って、被取付ボード２がドアであるか否かについても、限定されるものではない。
【図面の簡単な説明】
【００４２】
【図１】本発明に係る組プレート取付装置の第１実施形態（化粧カバーは省略してある）を示す分解斜視図である。
【図２】第１実施形態の組プレート取付装置における組み立て状態を示す平面断面図である。
【図３】第１実施形態の組プレート取付装置における組み立て過程を示す平面断面図である。
【図４】第１実施形態で採用された雄部材を示した側面図である。
【図５】図４に対応する平面図である。
【図６】図５のＡ−Ａ線断面図である。
【図７】図５のＢ−Ｂ線矢視図である。
【図８】第１実施形態で採用された雄部材側のプレートをその表面側から示した正面図である。
【図９】図８のＣ−Ｃ線矢視図である。
【図１０】図１１のＤ−Ｄ線断面図である。
【図１１】図８に対応する背面図である。
【図１２】図８のＥ−Ｅ線断面図（Ａ）及び図８のＦ−Ｆ線矢視図（Ｂ）である。
【図１３】第１実施形態で採用された雌部材側のプレートをその表面側から示した正面図である。
【図１４】図１３のＧ−Ｇ線矢視図である。
【図１５】図１６のＨ−Ｈ線断面図である。
【図１６】図１３に対応する背面図である。
【図１７】図１３のＪ−Ｊ線断面図（Ａ）及び図１３のＫ−Ｋ線矢視図（Ｂ）である。
【図１８】雄部材の第２実施形態を示した側面図である。
【図１９】図１８に対応する平面図である。
【図２０】雄部材の第３実施形態を示した側面図である。
【図２１】図２０に対応する平面図である。
【図２２】雄部材の第４実施形態を示した側面図である。
【図２３】図２２に対応する平面図である。
【図２４】本発明に係る組プレート取付装置の第２実施形態についてその組み立て過程を示す平面断面図である。
【図２５】本発明に係る組プレート取付装置の第３実施形態で使用する雌部材及びそのプレートを示した平面断面図である。
【図２６】第３実施形態で採用された雌部材を示した側面図である。
【図２７】図２７に対応する平面図である。
【図２８】図２７のＬ−Ｌ線矢視図である。
【図２９】第３実施形態で採用された雌部材側のプレートをその表面側から示した正面図である。
【図３０】図２９のＭ部拡大図である。
【図３１】図２９に対応する背面図である。
【図３２】図２５のＰ−Ｐ線拡大断面図である。
【図３３】図２５のＱ−Ｑ線拡大断面図である。
【符号の説明】
【００４３】
１  組プレート取付装置
２  被取付ボード
３  ドアハンドル
５  プレート
６  プレート
７  雌部材
８  雄部材
１２  脚部
１３  外爪部
４０  絞り枠
４３  係合部
４４  非係合部
５０  化粧カバー
【図１】
2005076409.tif 000003
【図２】
2005076409.tif 000004
【図３】
2005076409.tif 000005
【図４】
2005076409.tif 000006
【図５】
2005076409.tif 000007
【図６】
2005076409.tif 000008
【図７】
2005076409.tif 000009
【図８】
2005076409.tif 000010
【図９】
2005076409.tif 000011
【図１０】
2005076409.tif 000012
【図１１】
2005076409.tif 000013
【図１２】
2005076409.tif 000014
【図１３】
2005076409.tif 000015
【図１４】
2005076409.tif 000016
【図１５】
2005076409.tif 000017
【図１６】
2005076409.tif 000018
【図１７】
2005076409.tif 000019
【図１８】
2005076409.tif 000020
【図１９】
2005076409.tif 000021
【図２０】
2005076409.tif 000022
【図２１】
2005076409.tif 000023
【図２２】
2005076409.tif 000024
【図２３】
2005076409.tif 000025
【図２４】
2005076409.tif 000026
【図２５】
2005076409.tif 000027
【図２６】
2005076409.tif 000028
【図２７】
2005076409.tif 000029
【図２８】
2005076409.tif 000030
【図２９】
2005076409.tif 000031
【図３０】
2005076409.tif 000032
【図３１】
2005076409.tif 000033
【図３２】
2005076409.tif 000034
【図３３】
2005076409.tif 000035